(57)【要約】      （修正有）【課題】塩橋の乾燥や舌下固定時の不快感を解消して正確な皮膚表面電位を安定して測定するために用いる皮膚表面電位測定用器具を提供する。【解決手段】塩橋１８、２８が収容されたチューブ１９、２９を含み、塩橋、電解液を含むゲルからなり、塩橋の一方の端は基準電極部１０又は測定電極部２０と電気的に接続され、塩橋の他方の端は舌下４０又は皮膚表面５０とそれぞれ電気的に接続され、塩橋を収容するチューブは水分透過性の低い合成樹脂でできている。【選択図】図１
0003163180.tif 000002
【実用新案登録請求の範囲】
【請求項１】
舌下に連絡した基準電極部と、皮膚表面に連絡した測定電極部との電位差から皮膚表面電位を測定するために、前記舌下と基準電極部とを連絡するか、前記皮膚表面と測定電極部とを連絡する器具であって、
該器具は塩橋が収容されたチューブを含み、
前記塩橋は電解液を含むゲルからなり、前記塩橋の一方の端は前記基準電極部又は前記測定電極部と電気的に接続され、前記塩橋の他方は前記舌下又は皮膚表面とそれぞれ電気的に接続され、
前記塩橋を収容するチューブは水分透過性の低い合成樹脂でできていることを特徴とする、皮膚表面電位測定用器具。
【請求項２】
前記器具は、電解液を含む綿状体が充填されたマウスピースを含み、
前記塩橋の一方の端は前記基準電極部と電気的に接続され、前記塩橋の他方は前記マウスピースに充填される電解液を含む綿状体を介して前記舌下と電気的に接続され、
前記マウスピースは柔軟性のある合成樹脂でできていることを特徴とする、請求項１に記載の皮膚表面電位測定用器具。
【請求項３】
前記マウスピースに充填される電解液を含む綿状体は着脱可能に前記塩橋と電気的に接続されることを特徴とする、請求項２に記載の皮膚表面電位測定用器具。
【請求項４】
前記塩橋を収容するチューブの水分透過性は、４０°Ｃ、相対湿度２０％の恒温恒湿条件下で前記チューブ内に水を密封して静置して、２週間後の水の残存率が８０％以上であることを特徴とする、請求項１ないし３のいずれか１つに記載の皮膚表面電位測定用器具。
【請求項５】
前記水分透過性の低い合成樹脂の素材の硬度は５７〜７０デュロであることを特徴とする、請求項１ないし４のいずれか１つに記載の皮膚表面電位測定用器具。
【請求項６】
前記水分透過性の低い合成樹脂は、軟質ポリ塩化ビニルか、オレフィン系エラストマーかであることを特徴とする、請求項１ないし５のいずれか１つに記載の皮膚表面電位測定用器具。
【請求項７】
請求項１ないし６のいずれか１つに記載の皮膚表面電位測定用器具によって舌下に連絡される基準電極部と、皮膚表面に連絡される測定電極部と、前記基準電極部と前記測定電極部との電位差を検出する電位差検出部とを備えることを特徴とする、皮膚表面電位測定装置。
【考案の詳細な説明】
【技術分野】
【０００１】
本考案は、舌下に連絡した基準電極部と、皮膚表面に連絡した測定電極部との電位差から皮膚表面電位を測定するために、該舌下と基準電極部とを連絡する皮膚表面電位測定用器具と、該器具を含む皮膚表面電位測定装置とに関する。
【背景技術】
【０００２】
ヒトの皮膚表面の電位状態に関する情報は、皮膚科学の領域にとって有用である。特許文献１は、皮膚表面の電位状態を測定するに当たって、舌下を基準電位とすることを特徴とする皮膚表面の電位状態の測定方法と、該方法を実施するための装置を開示する。前記装置は、舌下に連絡される基準電極部と、皮膚表面に連絡される測定電極部と、前記基準電極部と前記測定電極部との電位差を検出する電位差検出部とを備える。
【０００３】
前記基準電極部は、基準電極が浸漬された内部液を収容した内チューブと、この内チューブを中に収納し二重チューブを形成する、内部液を収容した外チューブとを備え、前記内チューブ壁には液絡が被着されてなる。この場合の前記舌下と基準電極部との連絡は、前記舌下と、前記基準電極部の外チューブ内の内部液との間に結ばれた塩橋による。同様に、測定電極部は、測定電極が浸漬された内部液を収容した内チューブと、この内チューブを中に収納し二重チューブを形成する、内部液を収容した外チューブとを備え、前記内チューブ壁には液絡が被着されてなる。前記皮膚表面と測定電極部との連絡は、前記皮膚表面と、前記測定電極部の外チューブ内の内部液との間に結ばれた塩橋による。特許文献１には、前記舌下と基準電極部との塩橋と、前記皮膚表面と測定電極部との塩橋とについて、ともに公知のもの、例えば、柔軟性のあるプラスチックチューブ、シリコーン等のゴムチューブ等に電解液を含むアガロースを満たしたものが開示される。
【０００４】
しかし、柔軟性のあるプラスチックチューブ、シリコーン等のゴムチューブ等は素材により塩橋が乾燥して機能を維持することができない場合がある。また、アガロースは濃度及び種類により塩橋としての機能を安定して維持することができない。さらに、前記舌下と基準電極部との塩橋の端を舌下に固定する際に、不快感を与えることがある。
【先行技術文献】
【特許文献】
【０００５】
【特許文献１】特開２００２−１７７２２８号公報
【考案の概要】
【考案が解決しようとする課題】
【０００６】
そこで、塩橋の乾燥や舌下固定時の不快感を解消して正確な皮膚表面電位を安定して測定するために用いる器具と、該器具を含む皮膚表面電位測定装置とを開発する必要がある。
【課題を解決するための手段】
【０００７】
本考案は、舌下に連絡した基準電極部と、皮膚表面に連絡した測定電極部との電位差から皮膚表面電位を測定するために、前記舌下と基準電極部とを連絡するか、前記皮膚表面と測定電極部とを連絡する皮膚表面電位測定用器具を提供する。本考案の器具は、塩橋が収容されたチューブを含み、前記塩橋は、電解液を含むゲルからなり、前記塩橋の一方の端は前記基準電極部又は前記測定電極部と電気的に接続され、前記塩橋の他方の端は前記舌下又は皮膚表面とそれぞれ電気的に接続され、前記塩橋を収容するチューブは水分透過性の低い合成樹脂でできている。
【０００８】
本考案の皮膚表面電位測定用器具は、電解液を含む綿状体が充填されたマウスピースを含み、前記塩橋の一方の端は前記基準電極部と電気的に接続され、前記塩橋の他方は前記マウスピースに充填される電解液を含む綿状体を介して前記舌下と電気的に接続され、前記マウスピースは柔軟性のある合成樹脂でできている場合がある。
【０００９】
前記マウスピースに充填される電解液を含む綿状体は着脱可能に前記塩橋と電気的に接続される場合がある。
【００１０】
前記塩橋を収容するチューブの水分透過性は、４０°Ｃ、相対湿度２０％の恒温恒湿条件下で前記チューブ内に水を密封して静置して、２週間後の水の残存率が８０％以上の場合がある。
【００１１】
前記水分透過性の低い合成樹脂の素材の硬度は５７〜７０デュロの場合がある。
【００１２】
前記水分透過性の低い合成樹脂は、軟質ポリ塩化ビニルか、オレフィン系エラストマーかの場合がある。
【００１３】
本考案は、本考案の皮膚表面電位測定用器具によって舌下に連絡される基準電極部と、本考案の皮膚表面電位測定用器具によって皮膚表面に連絡される測定電極部と、前記基準電極部及び前記測定電極部の間の電位差を検出する電位差検出部とを備える皮膚表面電位測定装置を提供する。
【図面の簡単な説明】
【００１４】
【図１】本考案の皮膚表面電位測定用器具を含む皮膚表面電位測定装置の実施例の模式図。
【考案を実施するための形態】
【００１５】
以下に本考案の実施の形態を示すが、これらは実施態様の例示を意図しており本考案の範囲を限定することは意図しない。
【実施例１】
【００１６】
本明細書における皮膚表面電位は、舌下を基準として、皮膚表面と舌下との電位差（ｍＶ）を測定することにより測定される。
【００１７】
本考案の皮膚表面電位測定装置１は、舌下４０に連絡される基準電極部１０と、皮膚表面に連絡される測定電極部２０と、基準電極部１０と測定電極部２０との電位差を検出する電位差検出部３０とを有する。
【００１８】
本考案の皮膚表面電位測定装置１の基準電極部１０は、プラスチック製の二重の外チューブ１１及び内チューブ１２を有し、内チューブ１２のチューブ壁には溶液は通過させないが電子もしくはイオンは通過させる機能を持った多孔質セラミックからなる液絡１３を有している。外チューブ１１及び内チューブ１２の内部には、所定濃度のＫＣｌ溶液からなる内部液１４、１５がそれぞれ満たされており、前記内チューブの内部液１５に銀−塩化銀からなる基準電極１６が浸漬されている。基準電極１６は、外チューブ１１及び内チューブ１２の上端を閉じるキャップを兼ねた電極ホルダ（図示されない）に取り付けられ、そこから導体を介して吊り下げられた状態で内チューブ１２内の内部液１５に浸漬される。外チューブ１１の上端寄りの周面には、外チューブ内に内部液を補充する液補充口１７が設けられている。基準電極部１０は、基準電極部１０の外チューブ内部液１４に浸漬された塩橋１８を介して舌下４０と連絡する。
【００１９】
基準電極部１０の二重の外チューブ１１及び内チューブ１２はいずれもガラス製を使用することもできる。また、液絡１３はゼラチン、寒天等で擬晶構造をもたせた溶液など公知のものや多孔質のバイコールガラス等塩橋として用いられるものも含めて使用することができる。また、基準電極１６はカロメルからなる電極を用いても構わない。また、基準電極部１０の内チューブ内部液１５にはＫＣｌ溶液以外に、塩化ナトリウム、塩化リチウム等の塩化物の溶液が使用できる。基準電極部１０の外チューブ内部液１４は、基準電極部１０の内チューブ内部液１５に用いられる塩化物以外に電解液でもよい。
【００２０】
本明細書において、電解液とは、皮膚表面電位の測定に必要な導電性を有する液体をいい、ＮａＣｌ、ＫＣｌその他の体液の構成成分の塩か、生体に無害ないずれかの塩かを含む水溶液をいう。本明細書の電解液は生理食塩水を含むがこれに限定されない。
【００２１】
本考案の皮膚表面電位測定装置の測定電極部２０は、基準電極部１０と同様の構造を有している。すなわち、プラスチック製の二重の外チューブ２１及び内チューブ２２を有し、内チューブ２２のチューブ壁には多孔質セラミックからなる液絡２３を有している。外チューブ２１及び内チューブ２２の内部には、所定濃度のＫＣｌ溶液からなる内部液２４、２５がそれぞれ満たされており、内チューブ２２の内部液２５に銀−塩化銀からなる測定電極２６が浸漬されている。測定電極２６は、外チューブ２１及び内チューブ２２の上端を閉じるキャップを兼ねた電極ホルダ（図示されない）に取り付けられ、そこから導体を介して吊り下げられた状態で内チューブ２２内の内部液２５に浸漬される。外チューブ２１の上端寄りの周面には、外チューブ２１内に内部液を補充する液補充口２７が設けられている。測定電極部は、測定電極部２０の外チューブ内部液２４に浸漬された塩橋２８を介して皮膚表面５０と連絡する。
【００２２】
なお、測定電極部２０においても、基準電極部１０と同様の実施態様をとることができる。すなわち、測定電極部２０の二重の外チューブ２１及び内チューブ２２はいずれもガラス製を使用することもできる。また、測定電極部２０の液絡２３は多孔質のバイコールガラスを用いることもできる。また、測定電極２６はカロメルからなる電極を用いても構わない。また、測定電極部２０の内チューブ内部液２５にはＫＣｌ溶液以外に、塩化ナトリウム、塩化リチウム等の塩化物の溶液が使用できる。測定電極部２０の外チューブ内部液２４は、内チューブ内部液２５に用いられる塩化物以外に電解液でもよい。
【００２３】
基準電極部１０の塩橋１８と、測定電極部２０の塩橋２８とは、ともに電解液を含むゲルからなる。前記ゲルは、３〜８％の濃度のアガロースゲルが好ましく、５％のアガロースゲルがより好ましい。ゲルの強度は２２００ｇ／ｃｍ2以上であることが好ましい。また、アガロースゲルの硫化物濃度は０．０９％以下であることが好ましい。なお、アガロースゲルのゲル化温度は３５〜３７°Ｃであることが好ましい。
【００２４】
本考案の皮膚表面電位測定装置の基準電極部１０の塩橋収容用のチューブ１９と、測定電極部２０の塩橋収容用のチューブ２９との水分透過性は、４０°Ｃ、相対湿度２０％の恒温恒湿条件下で前記チューブ内に水を密封して静置して、２週間後の水の残存率が８０％以上であることが好ましい。塩橋収容用チューブ１９、２９は、軟質ポリ塩化ビニル又はオレフィン系エラストマーを素材とすることが好ましい。また、塩橋収容用のチューブ１９、２９の素材の硬度は、ＩＳＯ又はＪＩＳ  Ｋ６２５３規格に準拠したＡ型デュロメータで測定して５７〜７０デュロが好ましく、６５デュロがより好ましい。なお、塩橋収容用のチューブ１９、２９の内径は１．５〜３．０ｍｍが好ましく、２ｍｍがより好ましい。前記塩橋収容用のチューブの外形は２．５〜５ｍｍが好ましく、４ｍｍがより好ましい。
【００２５】
舌下４０と基準電極部１０との塩橋１８の端を舌下４０に固定するためのマウスピース６０は、基準電極部１０の塩橋収容用のチューブ１９と着脱可能に連結される場合がある。医療用シリコーン樹脂を素材とし、素材の硬度が５４〜５９デュロであることが好ましく、５６デュロがより好ましい。マウスピース６０は、外力が加わらない状態におけるマウスピース６０の断面は楕円形状が好ましく、長径：短径＝８：６であることがより好ましい。外力が加わらない状態におけるマウスピース６０の内部寸法は、長径が５〜１３ｍｍが好ましく、８ｍｍがより好ましい。短径は、３〜９ｍｍが好ましく、６ｍｍがより好ましい。また、マウスピース６０の長さは、４０〜８０ｍｍが好ましく、５０ｍｍがより好ましい。
【００２６】
マウスピース６０の内部には、電解液を含む綿状の繊維の集合体すなわち綿状体が収容される。前記綿状体の素材は、マウスピース６０を舌下４０で固定する際に不快感を与えないように、天然繊維、例えば木綿を用いることが好ましいが、木綿のような天然繊維と同様の感触を提供することを条件として、合成繊維でもかまわない。前記綿状の繊維の集合体は、マウスピース６０の内部に充填された際に外力で圧縮されないときの長さが５０〜１００ｍｍになるような量であることが好ましく、７０ｍｍであることがより好ましい。マウスピース６０内に収容される綿状の繊維の集合体に含まれる電解液の量は、マウスピース６０の内部に充填された際に外力で圧縮されないときの長さが７０ｍｍの綿状繊維集合体について２．５ｍＬ以上であることが好ましい。
【００２７】
本考案において皮膚表面電位を測定するには、器具を測定対象者の口の中に入れ舌の下に固定する。このとき器具のマウスピース６０を口に入れ舌下４０に固定することができる。このようにすれば測定対象者ごとにマウスピース６０を交換することができるので、不潔感がなく、特に店頭や臨床の場での使用に際して有効である。一方、一端が測定電極部２０に連絡された塩橋２８の他端を測定対象者の皮膚表面５０に接触固定した後、基準電極部１０と測定電極部２０との電位差を電位差検出部３０で測定する。なお、塩橋２８と皮膚表面５０との連絡は、両者の接触を均一にするためにろ紙（図示されない）を通じて連絡されることが好ましい。
【産業上の利用可能性】
【００２８】
本考案の器具を用いると、塩橋１８、２８のゲルが乾燥しにくいため、正確な皮膚表面電位を安定して測定することができる。
【符号の説明】
【００２９】
１    皮膚表面電位測定装置
１０    基準電極部
１１、２１    外チューブ
１２、２２    内チューブ
１３、２３    液絡
１４、１５、２４、２５    内部液
１６    基準電極
１７、２７    液補充口
１８、２８    塩橋
１９、２９    塩橋収容用のチューブ
２０    測定電極部
２６    測定電極
３０    電位差検出部
４０    舌下
５０    皮膚表面
６０    マウスピース
【図１】
0003163180.tif 000003